(57)【特許請求の範囲】
【請求項１】
ピーク波長域が４３０〜５５０ｎｍであって、半値幅１０ｎｍ以下の青色〜緑色の超狭帯域光を発生させる超狭帯域光照射手段、
前記超狭帯域光照射手段から照射された光の照射面積を人の顔全体に拡げるための拡散手段、
顔の眼の位置における照度を１〜３００ルクスに調整する照度調整手段、
を備えた安眠誘導装置。
【請求項２】
前記照度調整手段は、顔の眼の位置における照度を２０〜２５０ルクスに調整するものである請求項１の安眠誘導装置。
【請求項３】
ピーク波長域が４３０〜５００ｎｍであって、半値幅１０ｎｍ以下の青色の超狭帯域光を発生させる超狭帯域光照射手段、
前記超狭帯域光照射手段から照射された光の照射面積を人の顔全体に拡げるための拡散手段、
顔の眼の位置における照度を１〜３００ルクスに調整する照度調整手段、
を備えた安眠誘導装置。
【請求項４】
前記照度調整手段は、顔の眼の位置における照度を２０〜１２０ルクスに調整するものである請求項３の安眠誘導装置。
【請求項５】
ピーク波長域が５００〜５５０ｎｍであって、半値幅１０ｎｍ以下の緑色の超狭帯域光を発生させる超狭帯域光照射手段、
前記超狭帯域光照射手段から照射された光の照射面積を人の顔全体に拡げるための拡散手段、
顔の眼の位置における照度を１〜３００ルクスに調整する照度調整手段、
を備えた安眠誘導装置。
【請求項６】
前記照度調整手段は、顔の眼の位置における照度を５０〜２５０ルクスに調整するものである請求項５の安眠誘導装置。
【請求項７】
前記超狭帯域光照射手段は、
ピーク波長域が４３０ｎｍ〜５００ｎｍであって、半値幅１０ｎｍ以下の青色の超狭帯域光を発生させる第１超狭帯域光照射手段、
ピーク波長域が５００ｎｍ〜５５０ｎｍであって、半値幅１０ｎｍ以下の緑色の超狭帯域光を発生させる第２超狭帯域光照射手段、
前記第１超狭帯域光照射手段と第２超狭帯域光照射手段とを切り替える光源切替手段と、前記光源切替手段に切り替え信号を出力する制御手段と、を更に備えた請求項１の安眠誘導装置。
【請求項８】
前記照度調整手段は、顔の眼の位置における照度を、前記第１超狭帯域光照射手段からの照射の場合は２０〜１２０ルクスに調整し、前記第２超狭帯域光照射手段からの照射の場合は５０〜２５０ルクスに調整するものであることを特徴とする請求項７の安眠誘導装置。
【請求項９】
前記超狭帯域光照射手段における前記半値幅が３ｎｍ以下である請求項１，３，５，７のいずれかの安眠誘導装置。
【請求項１０】
照射部位のエネルギーが１．０Ｊ／ｃｍ２以下である請求項１，３，５，７のいずれかの安眠誘導装置。
【請求項１１】
前記超狭帯域光照射手段は、ＬＥＤ光源と、前記ＬＥＤ光源から出射された光の波長帯域を絞るバンドパスフィルターとから成ることを特徴とする請求項１，３，５，７，９のいずれかの安眠誘導装置。
【請求項１２】
前記拡散手段は、拡散レンズ、シリンドリカルレンズ、拡散板の少なくとも１つから成ることを特徴とする請求項１，３，５，７のいずれかの安眠誘導装置。
【請求項１３】
請求項１〜１２のいずれかの安眠誘導装置を備えた照明器具。
【請求項１４】
請求項１〜１２のいずれかの安眠誘導装置を備えたスタンド型照明器具。
【請求項１５】
請求項１〜１２のいずれかの安眠誘導装置を備えたベッド。
【発明の詳細な説明】
【技術分野】
【０００１】
本発明は、半値幅１０ｎｍ以下の青色〜緑色の超狭帯域光を拡散させ、人の顔全体に照射し、睡眠に導くための安眠誘導装置ならびに安眠誘導方法に関する。
【背景技術】
【０００２】
従来から、睡眠誘発やリラックス効果を与える装置としては、超音波を使用した睡眠導入装置（例えば、特許文献１を参照。）、発光体から出るα波、θ波により安眠に誘う安眠誘導装置（例えば、特許文献２を参照。）、負電圧をかけて人体をリラックスさせるリラクゼーション補助装置（例えば、特許文献３を参照。）のようなものが存在している。【０００３】
また、本発明者は医師であり、美容皮膚科治療に関する情報の提供及びコンサルティングを業として行ってきた。本発明者は、かかる業務を通じて、長時間使用しても皮膚にトラブルを発生しない、安全で、かつ充分な効果を短時間で得られる美肌方法を鋭意検討している。
【先行技術文献】
【特許文献】
【０００４】
【特許文献１】特開特開２００３−１９９８３１号公報
【特許文献２】特開平０８−２２９１３１号公報
【特許文献３】再公表０２／０２８４６４号公報
【発明の概要】
【発明が解決しようとする課題】
【０００５】
本発明者は、自己の経営する美容クリニックにおいて、半値幅が１０ｎｍ 以下の超狭帯域光を拡散させて、被験者の顔に照射した場合に、特定波長の光が優れた催眠効果を有することの知見を得た。また、その催眠効果が、半値幅が広い、通常の光の場合には得られない優れた催眠効果であることを実験により確信した。
本発明は、従来の装置のように、超音波や電圧を用いて睡眠に誘うものではなく、光を用いて催眠効果の高い安眠誘導装置および安眠誘導方法を提供することを目的とする。
【課題を解決するための手段】
【０００６】
本発明者は、上述したように、半値幅が１０ｎｍ 以下の超狭帯域光を拡散させて、患者の顔に照射した場合に、特定波長の光が優れた催眠効果を有することの知見を得て、本発明に係る安眠誘導装置を完成した。
なお、本明細書では、半値幅が１０ｎｍ 以下の光を超狭帯域光と呼ぶことにし、通常のＬＥＤ（発光ダイオード）の単色光（半値幅が２０〜４０ｎｍ）と区別する。また、半値幅とは、光源の中心波長（ピーク波長）の半分の強さの光の波長の幅をいう。【０００７】
すなわち、上記問題を解決すべく、本発明に係る第１の観点の安眠誘導装置は、
１−１）ピーク波長域が４３０〜５５０ｎｍであって、半値幅１０ｎｍ以下の青色〜緑色の超狭帯域光を発生させる超狭帯域光照射手段、
１−２）超狭帯域光照射手段から照射された光の照射面積を人の顔全体に拡げるための拡散手段、
１−３）顔の眼の位置における照度を１〜３００ルクスに調整する照度調整手段、
を備えた構成とされる。【０００８】
かかる構成によれば、被験者の顔全体に照射でき、睡眠を誘発、あるいは覚睡作用を奏することができる。従来、半値幅が１０ｎｍ以下の超狭帯域光は、レーザー状のものであり、レーザー光は睡眠を誘発するものとしては光度が高すぎる欠点がある。そのため、本発明においては、半値幅１０ｎｍ以下の超狭帯域光を凹レンズに通して拡散させることとした。
半値幅が１０ｎｍ以下の緑色の超狭帯域光には睡眠誘導効果があり、青色の超狭帯域光には特に強い睡眠誘導効果がある。【０００９】
ここで、上記の照度調整手段は、顔の眼の位置における照度を１〜３００ルクスに調整するものである。患者への実験により、特に、２０〜２５０ルクスの範囲に調整するのが好ましいという知見を実験により得ている。照度調整手段は、具体的には、超狭帯域光照射手段の光源強度を調整したり、拡散手段の拡散度合いを調整したり、超狭帯域光照射手段の光源と顔の距離を調整したりする。また、顔表面における照度は、顔表面に照度センサーを置いて計測したり、顔表面にミラーを置いてミラーで反射した光を超狭帯域光照射手段に内蔵した照度センサーで計測してもよい。【００１０】
また、本発明に係る第２の観点の安眠誘導装置は、
２−１）ピーク波長域が４３０〜５００ｎｍであって、半値幅１０ｎｍ以下の青色の超狭帯域光を発生させる超狭帯域光照射手段、
２−２）超狭帯域光照射手段から照射された光の照射面積を人の顔全体に拡げるための拡散手段、
２−３）顔の眼の位置における照度を１〜３００ルクスに調整する照度調整手段、
を備えた構成とされる。【００１１】
かかる構成によれば、強い睡眠誘導効果が得られる。
半値幅１０ｎｍ以下の青色の超狭帯域光を顔全体に所定の照度で照らすことにより、通常のＬＥＤ光源による単色光（半値幅２０〜４０ｎｍ）の青色光を照らす場合よりも、強い睡眠誘導効果が得られることを臨床により実証した。
具体的には、１００人の被験者に、通常のＬＥＤ光源による単色光（半値幅２０〜４０ｎｍ）の青色光を照射した場合に睡眠誘導効果が得られた者は４０〜６０人であったが、半値幅１０ナノメートル以下の超狭帯域な青色光を所定の照度で顔の眼の位置に照射した場合に、睡眠誘導効果が得られた者は８０人以上であった。
ここで、青色光の場合、特に、２０〜１２０ルクスの範囲に調整するのが好ましいという知見を実験により得ている。【００１２】
また、本発明に係る第３の観点の安眠誘導装置は、
３−１）ピーク波長域が５００〜５５０ｎｍであって、半値幅１０ｎｍ以下の緑色の超狭帯域光を発生させる超狭帯域光照射手段、
３−２）超狭帯域光照射手段から照射された光の照射面積を人の顔全体に拡げるための拡散手段、
３−３）顔の眼の位置における照度を１〜３００ルクスに調整する照度調整手段、
を備えた構成とされる。【００１３】
かかる構成によれば、リラックスさせ、緩やかな睡眠誘導効果が得られる。
半値幅１０ｎｍ以下の緑色の超狭帯域光を顔全体に所定の照度で照らすことにより、通常のＬＥＤ光源による単色光（半値幅２０〜４０ｎｍ）の緑色光を照らす場合よりも、優れた睡眠誘導効果が得られることを臨床により実証した。
具体的には、１００人の被験者に、ＬＥＤ光源による単色光（半値幅２０〜４０ｎｍ）の緑色光を照射した場合に睡眠誘導効果が得られた者は４０人弱であったが、半値幅１０ナノメートル以下の超狭帯域な緑色光を所定の照度で顔の眼の位置に照射した場合に、睡眠誘導効果が得られた者は６０人以上であった。
ここで、青色光の場合、特に、５０〜２５０ルクスの範囲に調整するのが好ましいという知見を実験により得ている。【００１４】
また、本発明に係る第１の観点の安眠誘導装置において、
超狭帯域光照射手段は、
ピーク波長域が４３０ｎｍ〜５００ｎｍであって、半値幅１０ｎｍ以下の青色の超狭帯域光を発生させる第１超狭帯域光照射手段、
ピーク波長域が５００ｎｍ〜５５０ｎｍであって、半値幅１０ｎｍ以下の緑色の超狭帯域光を発生させる第２超狭帯域光照射手段、
第１超狭帯域光照射手段と第２超狭帯域光照射手段とを切り替える光源切替手段と、
光源切替手段に切り替え信号を出力する制御手段と、
を更に備える構成とされる。【００１５】
かかる構成によれば、強い睡眠誘導効果を有する青色の超狭帯域光と、リラックスでき睡眠誘導効果を有する緑色の超狭帯域光とを、交互に使用して、睡眠誘導を穏やかに行うことができる。
上記の制御手段は、第１の超狭帯域光照射手段と第２の超狭帯域光照射手段に所定の時間間隔をあけて、交互に出力信号を出すのが好ましい。緑色、青色それぞれのＬＥＤから発生する光を交互に顔全体に照射することで深い睡眠へと導いていけるからである。所定時間は１分程度であり、全体では、約１０分程度で睡眠誘導効果が現れる。【００１６】
また、この場合、照度調整手段は、顔の眼の位置における照度を、第１超狭帯域光照射手段からの照射の場合は２０〜１２０ルクスに調整し、第２超狭帯域光照射手段からの照射の場合は５０〜２５０ルクスに調整することがより好ましい。それぞれの色により、最適な照度があり、色の切り替わりに合わせて照度を調整するのである。【００１７】
また、上述の第１の観点から第３の観点の安眠誘導装置において、超狭帯域光照射手段における半値幅が３ｎｍ以下であることが更に好ましい。半値幅１０ｎｍ以下の超狭帯域光を照射するものと比べ、より超狭帯域のバンドパスフィルターを用いて半値幅が３ｎｍ以下にした超狭帯域光を照射する方が、睡眠誘導効果がより高いことが実験によりわかったのである。【００１８】
また、上述の第１の観点から第３の観点の安眠誘導装置において、人の顔の照射部位のエネルギーは１．０Ｊ／ｃｍ２以下とする。エネルギーが高いものはレーザー光線であるが、昨今のＬＥＤの進歩により照射エネルギーが高いものもある。上述の第１の観点から第３の観点の安眠誘導装置においては、人の顔の照射部位のエネルギーは１．０Ｊ／ｃｍ２以下にする。照射時間は、５分〜１５分、長くても３０分程度である。【００１９】
また、上述の第１の観点から第３の観点の安眠誘導装置において、具体的な態様として、上記の超狭帯域光照射手段は、ＬＥＤ光源と、ＬＥＤ光源から出射された光の波長帯域を絞るバンドパスフィルターとから構成される。仮に、将来、半値幅が１０ｎｍ 以下の超狭帯域光を照射できるＬＥＤ光源が開発された場合でも、上記の超狭帯域光照射手段の構成、すなわち、ＬＥＤ光源とバンドパスフィルターの構成によって、さらに、より一層、半値幅の狭い超狭帯域光を作り出すことが可能となる。【００２０】
また、第１の観点から第３の観点の安眠誘導装置において、具体的な態様として、上記の拡散手段は、凹レンズ、拡散レンズ、シリンドリカルレンズ、拡散板の少なくとも１つから構成される。
ここで、光量の減衰を最小限に抑える観点から拡散レンズが好適に用いることができる。【００２１】
また、シリンドリカルレンズを拡散手段に用いる場合は、２枚のシリンドリカルレンズを各々のレンズが直交する方向に配置して使用する。一般に、シリンドリカルレンズは、一方向のみの倍率調整が必要な用途に使われ、一方向に結像するだけであるが球面レンズと同じ結像公式が成立するため、１枚目のシリンドリカルレンズでビームを一方向についてコリメートし、それから２枚目のシリンドリカルレンズでそれと直交する方向についてもコリメートして使用する。
なお、シリンドリカルレンズを拡散手段に用いて、さらに拡散レンズ、拡散板などを併用してもかまわない。【００２２】
上記の本発明の安眠誘導装置は、照明器具、特に、スタンド型照明器具として好適に利用できる。また、寝具用ベッドに取り付けられてもよい。本発明の安眠誘導装置は、病院や家庭内において、好適に利用されるものである。
すなわち、上記の本発明の安眠誘導装置を病室の照明に用い、患者ベッドに横たわる患者の顔の付近の照度を調整して、就寝時刻後に患者を安眠させるのである。就寝時刻後に消灯するのはなく、青〜緑の光を照らすことにより、ベッドの周囲の見通しがよくなり、安全性も向上する。
また、寝具用ベッドに取り付ける場合は、超狭帯域光照射手段に通常のスタンド型照明と同様にハウジングで超狭帯域光の照射範囲を制御することも可能である。患者の顔の部位にのみ照射させることで、電気をつけた状態や昼間の明るい状況においても、患者を安眠に誘導できるのである。【００２３】
次に、本発明の安眠誘導方法について説明する。
本発明の安眠誘導方法は、ピーク波長域が４３０〜５５０ｎｍであって、半値幅１０ｎｍ以下の青色〜緑色の超狭帯域光を、拡散させて人の顔全体に照射し、かつ、顔の眼の位置における照度を２０〜２５０ルクスに調整するものである。
かかる方法によれば、優れた睡眠誘導効果が得られる。【００２４】
また、上記の本発明の安眠誘導方法において、ピーク波長域が４３０〜５００ｎｍで、半値幅１０ｎｍ以下の青色の光であり、顔の眼の位置における照度を２０〜１２０ルクスに調整することがより好ましい。半値幅１０ｎｍ以下の青色の光によれば、強い睡眠誘導効果が得られる。【００２５】
また、上記の本発明の安眠誘導方法において、ピーク波長域が５００〜５５０ｎｍで、半値幅１０ｎｍ以下の緑色の光であり、顔の眼の位置における照度を５０〜２５０ルクスに調整することがより好ましい。半値幅１０ｎｍ以下の緑色の光によれば、リラックスでき、緩やかな睡眠誘導効果が得られる。【００２６】
また、上記の本発明の安眠誘導方法において、超狭帯域光は、下記の第１超狭帯域光と第２超狭帯域光を切り替えて照射し、第１超狭帯域光の照射の際は、顔の眼の位置における照度を２０〜１２０ルクスに調整し、第２超狭帯域光の照射の際は、顔の眼の位置における照度を５０〜２５０ルクスに調整するものである。
第１超狭帯域光は、ピーク波長域が４３０ｎｍ〜５００ｎｍであって半値幅１０ｎｍ以下の青色の超狭帯域光であり、第２超狭帯域光は、ピーク波長域が５００ｎｍ〜５５０ｎｍであって、半値幅１０ｎｍ以下の緑色の超狭帯域光である。
かかる方法によれば、強い睡眠誘導効果を有する青色の超狭帯域光と、リラックスでき睡眠誘導効果を有する緑色の超狭帯域光を、交互に使用して、睡眠誘導を穏やかに行うことができる。【００２７】
上記の本発明の安眠誘導方法において、超狭帯域光における半値幅は３ｎｍ以下であることが更に好ましい。半値幅１０ｎｍ以下の超狭帯域光を照射するものと比べ、半値幅が３ｎｍ以下にした超狭帯域光を照射する方が、睡眠誘導効果はより優れている。
【発明の効果】
【００２８】
本発明の安眠誘導装置ならびに安眠誘導方法によれば、心理的な閉塞感や孤独感を与えることなく快適な安眠を促すことが可能になるといった効果を有する。
【図面の簡単な説明】
【００２９】
【図１】安眠誘導装置の使用イメージ図
【図２】安眠誘導装置の構成図
【図３】安眠誘導装置の超狭帯域光のスペクトルの一例
【発明を実施するための最良の形態】
【００３０】
以下、本発明の実施形態について、図面を参照しながら詳細に説明していく。なお、本発明の範囲は、以下の実施例や図示例に限定されるものではなく、幾多の変更及び変形が可能である。【００３１】
図１は、安眠誘導装置の使用イメージ図を示している。
安眠誘導装置１は、青色〜緑色の特定波長の超狭帯域光２０を所定の照度範囲で人の顔２１全体に照射することで、睡眠誘導させるものである。【００３２】
図２は、安眠誘導装置の一実施例の構成図を示している。
安眠誘導装置１は、筒状本体２の底部に取り付けられた半値幅が２０ｎｍ〜４０ｎｍの青色もしくは緑色のＬＥＤ光源７と、ＬＥＤ光源７から出射された光の波長帯域を絞るバンドパスフィルター１３と、バンドパスフィルター１３を透過した半値幅が１０ｎｍ以下の超狭帯域の光を拡散させる拡散レンズ１２から構成される。ＬＥＤ光源７は、ＯＮ／ＯＦＦ信号と電源は、信号・電源ケーブル１４を介して供給される。バンドパスフィルター１３と拡散レンズ１２は筐体フレーム１５に取り付けられており、筒状本体２と脱着可能になっている。バンドパスフィルター１を取り替えることにより、所望の半値幅の超狭帯域の光を作り出すことができる。また、拡散レンズ１２を取り替えることにより、照射面積を調整することができる。【００３３】
ここで、ＬＥＤ光源７としては、例えば、株式会社イマック製の平行光ＬＥＤ光源（型番：ＩＢＦ−ＬＳ）を用いることができる。ＬＥＤ光源７から照射される光は、超遠投な指向性のある光である。筒状本体２の内径、すなわち、平行光ＬＥＤ光源の光径は略５ｃｍであり、この光を拡散レンズ１２で拡散させている。【００３４】
また、安眠誘導装置１で、人の顔に照射する超狭帯域の光の照度を調整する手段としては、人の顔２１の眼の横に照度計を置いて、安眠誘導装置１の内部の超狭帯域光の光源の強度を調整するか、安眠誘導装置１の内部の拡散レンズを取り替えて調整したりする。
また、安眠誘導装置１に照度センサーを内蔵させて、顔表面にミラーを置き、ミラーで反射した光を安眠誘導装置１に内蔵した照度センサーで計測させて、自動的に超狭帯域光の光源の強度を調整させることも可能である。
以下に説明する実施例の測定に用いた照度計は、ＴＯＰＣＯＭ（登録商標）照度計ＩＭ−５である。【００３５】
図３は、安眠誘導装置１から出射される超狭帯域光のスペクトルの一例を示している。横軸は波長であり、縦軸は強度を示している。
青色の超狭帯域光は、中心波長（ピーク波長）が４６０ｎｍであり、半値幅が１０ｎｍである。また、緑色の超狭帯域光は、中心波長（ピーク波長）が５３０ｎｍであり、半値幅が１０ｎｍである。
【実施例１】
【００３６】
実施例１では、
１−１）ピーク波長域が４３０〜５５０ｎｍであって、半値幅１０ｎｍ以下の青色〜緑色の超狭帯域光を発生させる超狭帯域光照射手段、
１−２）超狭帯域光照射手段から照射された光の照射面積を人の顔全体に拡げるための拡散手段、
１−３）顔の眼の位置における照度を１〜３００ルクスに調整する照度調整手段、
を備えた安眠誘導装置の優れた睡眠誘導効果を説明する。【００３７】
実際に、２０歳〜７０歳の男女合わせて１００名の被験者に対して、上記の安眠誘導装置を用いて睡眠誘導効果について臨床実験を行った。
男女の比率は、３０：７０である。女子の比率が多いのは、当クリニックが美容専門であるためであり、特に意味はない。
年齢は、２０歳代が３５名、３０歳代が２５名、４０歳代が２５名、５０〜６０歳が１５名である。なお、後述する実施例についても同様の被験者に対して行っている。
下記の表１に示すような睡眠誘導効果の結果が得られた。
表中、×は４０人未満、△は４０〜５９人、○は６０〜７９人、◎は８０人以上であった場合の表記を示している。【００３８】
表中のＮｏ．１は、中心波長（ピーク波長）が４３０ｎｍ〜５５０ｎｍの範囲にある市販のＬＥＤ光源を幾つか使用し、睡眠誘導効果を判定したものである。市販のＬＥＤ光源の場合、半値幅は狭いもので１５ｎｍから４０ｎｍと様々であった。ＬＥＤ光源を顔に近づけて、顔の眼の位置の照度を１〜４５０ルクスにして、睡眠誘導効果を判定したものである。
また、表中のＮｏ．２は、Ｎｏ．１のＬＥＤ光源を用いて、図２の構成の安眠誘導装置を構成したものである。バンドパスフィルターを用いてＬＥＤ光源の光を半値幅１０ｎｍにしている。ＬＥＤ光源を顔に近づけて、顔の眼の位置の照度を３００ルクスより大きくした状態で睡眠誘導効果を判定したものである。
また、表中のＮｏ．３は、Ｎｏ．１のＬＥＤ光源を用いて、図２の構成の安眠誘導装置を構成し、拡散レンズを用いて、顔の眼の位置の照度を１〜３００ルクスに調整したものである。【００３９】
なお、Ｎｏ．１０は、中心波長（ピーク波長）が４３０ｎｍ〜５５０ｎｍの範囲外にある市販のＬＥＤ光源を幾つか使用し、睡眠誘導効果を判定したものである。具体的には、中心波長（ピーク波長）が４０５ｎｍ（半値幅３５ｎｍ）のＬＥＤ光源、５７０ｎｍのＬＥＤ光源（半値幅２５ｎｍ）を用いて、睡眠誘導効果を判定した。【００４０】
【表１】
0005515015.tif 000002
【実施例２】
【００４１】
次に、実施例２では、
２−１）ピーク波長域が４３０〜５００ｎｍであって、半値幅１０ｎｍ以下の青色の超狭帯域光を発生させる超狭帯域光照射手段、
２−２）超狭帯域光照射手段から照射された光の照射面積を人の顔全体に拡げるための拡散手段、
２−３）顔の眼の位置における照度を１〜３００ルクスに調整する照度調整手段、
を備えた安眠誘導装置の優れた睡眠誘導効果を説明する。【００４２】
実際に、安眠誘導装置を用いて臨床したところ、下記の表２に示すような睡眠誘導効果の結果が得られた。【００４３】
【表２】
0005515015.tif 000003
【実施例３】
【００４４】
次に、実施例３では、
３−１）ピーク波長域が５００〜５３０ｎｍであって、半値幅１０ｎｍ以下の緑色の超狭帯域光を発生させる超狭帯域光照射手段、
３−２）超狭帯域光照射手段から照射された光の照射面積を人の顔全体に拡げるための拡散手段、
３−３）顔の眼の位置における照度を１〜３００ルクスに調整する照度調整手段、
を備えた安眠誘導装置の優れた睡眠誘導効果を説明する。【００４５】
実際に、安眠誘導装置を用いて臨床したところ、下記の表３に示すような睡眠誘導効果の結果が得られた。【００４６】
【表３】
0005515015.tif 000004
【００４７】
なお、上記の表１〜３の睡眠誘導効果の判定のもとになった実験データを表４に示す。
ここで、各Ｎｏ．は、表１〜３のＮｏ．と一致する。【００４８】
【表４】
0005515015.tif 000005
【００４９】
なお、上記の２０歳〜７０歳の男女合わせて１００名の被験者の中には、不眠症のモニターも１５名含まれている。不眠症の方とは、夜寝るときに眼剤を飲んで入眠する方である。不眠症のモニターも１５名の内訳は、男性５名、女性１０名であり、２０歳代は男性2名・女性４名、３０歳代は男性１名・女性３名、４０歳代は男性１名・女性２名、５０〜６０歳代は男性１名・女性１名である。
不眠症のモニターは、上記Ｎｏ．３，Ｎｏ．６，Ｎｏ．９において、１００％効果有りと認められた。
【実施例４】
【００５０】
実施例５では、実施例１，２，３における半値幅１０ｎｍの超狭帯域光（上記Ｎｏ．３，Ｎｏ．６，Ｎｏ．９）において、顔の眼の位置における照度の好適値を調べた結果を示す。
実施例１，２，３における半値幅１０ｎｍの超狭帯域光（上記Ｎｏ．３，Ｎｏ．６，Ｎｏ．９）において、顔の眼の位置における照度を１，１５，２０，５０，８０，１２０，１２５，２５０，３００，３３０（ルクス）にし、それぞれ実験を行った。
実験の結果、下記の表５に示すような睡眠誘導効果の結果が得られた。
表中、△は４０〜５９人、○は６０〜７９人、◎は８０〜９２人、＊は９３人以上であった場合の表記を示している。【００５１】
【表５】
0005515015.tif 000006
【実施例５】
【００５２】
実施例５では、実施例１，２，３における半値幅１０ｎｍの超狭帯域光（上記Ｎｏ．３，Ｎｏ．６，Ｎｏ．９）と比べて、半値幅が３ｎｍの超狭帯域光の方が、睡眠誘導効果をより高めることができたことを説明する。ここで、半値幅が３ｎｍの超狭帯域光は、バンドパスフィルターを変えることにより実現した。【００５３】
実際に、半値幅が３ｎｍの超狭帯域光の安眠誘導装置と半値幅が１０ｎｍの超狭帯域光の安眠誘導装置を用いて臨床したところ、下記の表６に示すような睡眠誘導効果の結果が得られた。表６の中のＮｏ．は、上記表１〜３のＮｏ．と一致する。
表中の数字は、モニター１００名中、半値幅３ｎｍの超狭帯域光の安眠誘導装置の睡眠誘導効果が半値幅１０ｎｍのものと比べて高かったもの、半値幅１０ｎｍの超狭帯域光の安眠誘導装置の睡眠誘導効果が半値幅３ｎｍのものと比べて高かったものの人数を示している。
下記表６に示すように、モニター８０％以上の方について、半値幅が３ｎｍの超狭帯域光の安眠誘導装置の方が、半値幅が１０ｎｍの超狭帯域光の安眠誘導装置よりも睡眠誘導効果が高い結果が得られた。半値幅以外の条件は同じである。【００５４】
【表６】
0005515015.tif 000007
【産業上の利用可能性】
【００５５】
本発明は、睡眠を促す装置や方法として有用である。
【符号の説明】
【００５６】
１    安眠誘導装置
２    筒状本体
７    ＬＥＤ光源
１２  拡散レンズ
１３  バンドパスフィルター
１４  信号・電源ケーブル
１５  筐体フレーム
２０  特定波長の超狭帯域光
２１  人の顔
【図１】
0005515015.tif 000008
【図２】
0005515015.tif 000009
【図３】
0005515015.tif 000010